(57)【特許請求の範囲】
【請求項１】
飲料成分を入れているカートンを飲料ディスペンサに挿入するための容器であって、
ベース面と、
前記ベース面から延出し、かつ前記カートンを収容するようなサイズの空洞を規定する前面、背面、および２つの側面と、
を含み、
前記２つの側面が前記ベース面から延出した高さが、当該２つの側面が前記前面から前記背面へ延在するにつれて増大しており、
前記２つの側面は、前記背面まで延在する水平のランディング部分を形成し、
前記背面は、前記カートンが前記容器内にあるとき、前記カートン上にある製品ラベルを見えるようなサイズにされた開口部を規定する、容器。
【請求項２】
前記背面から延出した突起をさらに備え、
前記突起は、ユーザが当該突起を把持して当該容器を前記飲料ディスペンサから取り出せるようなサイズにされている、請求項１に記載の容器。
【請求項３】
前記ベース面は、真空破壊をもたらすように、及び／又は、当該容器の内側におかれたカートンが当該容器の内側でこぼれた液体に置かれないように構成された１つ以上のスピードバンプを有する、請求項１又は２に記載の容器。
【請求項４】
前記ベース面が、少なくとも部分的に前記前面から前記背面へ延在する整列溝を規定する、請求項１から３のいずれか一項に記載の容器。
【請求項５】
前記前面が、前記カートンに取り付けられた装備品を収容するようなサイズにされたランディング部を規定する、請求項１から４のいずれか一項に記載の容器。
【請求項６】
前記ランディング部が、細長いスロットの下側に形成された卵形リングを含み、前記装備品は、前記カートンが前記容器に挿入されるとき、前記細長いスロットを通って摺動し、かつ前記卵形リングに載る、請求項５に記載の容器。
【請求項７】
飲料ディスペンサに飲料成分を導入するためのカートンであって、
カートン表面から延出する装備品であって、前記カートンと前記飲料ディスペンサとの間を流体連通できるようなサイズにされた装備品を含み、
前記カートンは、前記カートンの前面から前記カートンの側面まで延在する角度付き面を規定する引き裂き部分を規定し、
前記カートンは、前記カートンの前記前面と反対側の背面上に製品ラベルを有しており、
前記製品ラベルは、前記カートンが前記飲料ディスペンサに導入される前に前記カートンが置かれ得る容器の開口部を通して見えるように構成されている、カートン。
【請求項８】
前記引き裂き部分が前記装備品を被覆して保護する、請求項７に記載のカートン。
【請求項９】
前記引き裂き部分が、ミシン目線を含み、それにより、前記引き裂き部分を前記カートンから取り除くことができる、請求項８に記載のカートン。
【請求項１０】
前記カートンは、容器に挿入されるとき適切な向きにされるように、角度付き側辺部を含む、請求項７から９のいずれか一項に記載のカートン。
【請求項１１】
さらに、前記カートンに結合されたＲＦＩＤチップを含む、請求項７から１０のいずれか一項に記載のカートン。
【請求項１２】
飲料成分を飲料ディスペンサに導入するためのシステムであって、
飲料成分を入れているカートンを飲料ディスペンサに挿入するための容器であって、前記容器は、ベース面と、前記ベース面から延出し、かつ前記カートンを収容するようなサイズの空洞を規定する前面、背面、および２つの側面とを有し、前記２つの側面が前記ベース面から延出した高さが、当該２つの側面が前記前面から前記背面へ延在するにつれて増大しており、前記２つの側面は、前記背面まで延在する水平のランディング部分を形成し、前記背面は、前記カートンが前記容器内にあるとき、前記カートン上にある製品ラベルを見えるようなサイズにされた開口部を規定する、容器と、
前記容器内に位置決めされ、かつ前記飲料成分を入れているカートンであって、前記カートンは、カートン表面から延出する装備品を含み、前記装備品は、前記カートンと前記飲料ディスペンサとの間を流体連通できるようなサイズにされており、および前記カートンは、前記カートンの前面から前記カートンの側面まで延在する角度付き面を規定する引き裂き部分を規定する、カートンと、
を含む、システム。
【請求項１３】
前記ランディング部分が平らな平面である、請求項１２に記載のシステム。
【請求項１４】
前記容器は、フレア付き面を有する突起をさらに備え、
前記突起は、前記容器の前記背面から延出しており、かつ、ユーザが当該突起を把持して当該容器を前記飲料ディスペンサから取り出せるようなサイズにされている、請求項１２又は１３に記載のシステム。
【請求項１５】
前記引き裂き部分を取り除いて前記装備品を露出させる、請求項１２から１４のいずれか一項に記載のシステム。
【発明の詳細な説明】
【技術分野】
【０００１】
本出願は、ＰＣＴ国際特許出願として２０１４年３月１４日に出願されており、かつ２０１３年３月１５日出願の米国仮特許出願第６１／７９２，９５９号、および２０１４年３月１３日出願の米国の通常の特許出願第１４／２０９，６８４号の優先権を主張し、それらの主題全体を参照することにより本書に援用する。
【発明の概要】
【発明が解決しようとする課題】
【０００２】
背景
飲料ディスペンサは、飲料を形成するために成分を添加する必要がある。スティルウォーターすなわち炭酸の入っていない水などの成分は、配管システムから直接送出できる。飲料にその味、色などを与える成分は、それら成分を入れるカートリッジを使用して導入され（install）得る。これらのカートリッジは、製造するのが高価であり、かつ使い果たした後で廃棄または再生利用する必要がある。
【課題を解決するための手段】
【０００３】
概要
一態様では、飲料成分を飲料ディスペンサに導入するための例示的なシステムが：飲料成分を入れているカートンを飲料ディスペンサに挿入するための容器であって、容器は、ベース面と、ベース面から延出しかつカートンを収容するようなサイズの空洞を規定する前面、背面、および２つの側面とを含み；２つの側面は、前面からある角度で延在し、かつ背面まで延在する水平のランディング部分を形成する、容器；および容器内に位置決めされ、かつ飲料成分を入れているカートンであって、カートンは、カートン表面から延出する装備品を含み、装備品は、カートンと飲料ディスペンサとの間を流体連通できるようなサイズにされ、およびカートンは、カートンの前面からカートンの側面まで延在する角度付き面を規定する引き裂き部分を規定する、カートンを含む。
【０００４】
図面の簡単な説明
本開示に組み込まれかつその一部を構成する添付図面は、様々な実施形態を示す。
【図面の簡単な説明】
【０００５】
【図１】飲料ディスペンサの概略図を示す。
【図２】カートリッジを多面的に示す図である。
【図３】容器を多面的に示す図である。
【図４】カートンを多面的に示す図である。
【図５】飲料成分を収納するためのカートンおよび容器を製造する方法のフローチャートを示す。
【図６】平らな素材から切り取られるカートンの輪郭を示す。
【図７】飲料成分を入れているカートンを飲料ディスペンサに挿入する方法のフローチャートを示す。
【図８】本開示の原理による別のカートリッジを多面的に示す図である。
【図８Ａ】本開示の原理による別のカートリッジを多面的に示す図である。
【図９】図８に示す容器の斜視図である。
【図１０】図９に示す容器の拡大図である。
【図１１】図９に示す容器の斜視的な上面図である。
【図１２】本開示の原理による別のカートンを多面的に示す図である。
【図１３】平らな素材から切り取られる図１２のカートンの輪郭を示す。
【図１３Ａ】平らな素材から切り取られる図１２のカートンの別の輪郭を示す。
【図１４】本開示の原理による別のカートリッジを多面的に示す図である。
【図１５】図１４に示す容器の拡大斜視図である。
【図１６】図１４に示す容器の斜視的な上面図である。
【図１７】本開示の原理による別の容器の斜視図である。
【図１８】図１７に示す容器を多面的に示す図である。
【図１９】本開示の原理による別の容器の多面的な図である。
【図２０】本開示の原理による別のカートンを多面的に示す図である。
【図２１】平らな素材から切り取られる図２０のカートンの輪郭を示す。
【発明を実施するための形態】
【０００６】
説明
以下の詳細な説明は添付図面を参照して行う。可能な限り、図面および以下の説明において同じ参照符号を使用して、同じまたは同様の要素を指す。本開示の実施形態を説明し得るが、修正、適応、および他の実装が可能である。例えば、置換、追加、または修正は、図面に示す要素になされてもよく、および本明細書で説明した方法は、開示の方法に対して段階を置換、並べ替え、または追加することによって、修正され得る。それゆえ、以下の詳細な説明は、本開示を限定しない。
【０００７】
実施形態は、飲料成分を入れているカートンを飲料ディスペンサに挿入するための容器を含む。容器は、ベース面と、ベース面から延出する前面、背面、および２つの側面とを含む。これら面は、カートンを収容するようなサイズの空洞を規定する。
【０００８】
実施形態は、飲料成分を飲料ディスペンサに導入するためのシステムを含む。カートンが飲料成分を入れている。カートンは、カートン表面から延出するように適合された装備品を備えるパウチを含む。装備品は、パウチと飲料ディスペンサとの間の流体連通を可能にするようなサイズにされている。容器は、ベース面から延在する前面、背面、および２つの側面を含む。前面、背面、および２つの側面は、カートンを収容するようなサイズの空洞を規定する。前面は、装備品をしっかりと収容するようなサイズにされたランディング部を規定する。
【０００９】
実施形態は、飲料成分を入れているカートンを飲料ディスペンサに挿入する方法を含む。方法は、カートンを容器に挿入すること、容器を飲料ディスペンサに部分的に挿入すること、および装備品を飲料ディスペンサに係合させることを含む。装備品はカートンから突出する。
【００１０】
実施形態は、飲料成分を収納するカートンおよび容器を製造する方法を含む。方法は、容器を射出成形して、カートンを収容するための空洞を規定すること、およびカートンが容器に設置されると、装備品がカートン表面から突出するようにカートンを製作することを含む。装備品は、飲料ディスペンサとの流体連通を確立するためのものである。
【００１１】
ここで図面を参照すると、図１は、飲料ディスペンサ１００の簡略図を示す。飲料ディスペンサ１００は、ユーザーインターフェース１０２、注出入力部１０４、カーボネータ１０６、および複数の成分用カートリッジ（例えば、第１のカートリッジ１０８、第２のカートリッジ１１０）を含み、これらは全てハウジング１１２に納められている。ユーザーインターフェース１０２は、限定されるものではないが、タッチスクリーン、製品選択ボタン、１つ以上の注出ボタンおよび／または他のユーザー入力装置を含む、任意の数のインターフェースを含み得ることを理解されたい。ボタンは、機械的部品またはリンク機構を含んでもよいし、または静電容量式タッチボタンなどの電子ボタンとしてもよい。さらに、ボタンの１つ以上は、レバーや他の機械的または電子的な作動装置によって置き換えてもよい。代替的な実施形態によれば、上述の成分用カートリッジの一部または全ては、ハウジング１１２から離れた個所に設置され、かつ飲料ディスペンサ１００にポンプで送り込まれるかまたは他の方法で供給されてもよいことにさらに留意されたい。様々な実施形態によれば、注出入力部１０４は、ユーザーインターフェース１０２上のボタンもしくは他の入力部、またはその代わりに、ユーザーインターフェース１０２とは異なる入力部、例えば機械的なボタンやレバー、静電容量式タッチボタンなどの電気的なタッチセンシティブ面、または飲料の注出を開始するための他の異なるユーザー入力装置を含み得る。第１および第２のカートリッジ１０８および１１０は、限定されるものではないが、加糖（sweetened）飲料ベースまたは飲料シロップ、加糖フレーバーまたはフレーバーシロップ、無糖（unsweetened）飲料ベース、無糖飲料ベース構成成分（例えば、飲料ベースの酸部分、酸分解性部分、および非酸部分）、無糖フレーバー、天然および人工香料、フレーバー添加剤、天然および人工着色料、栄養性または非栄養性の天然または人工甘味料、酸味を制御する添加剤（例えば、クエン酸、クエン酸カリウムなど）、ビタミン、ミネラル、またはハーブ抽出物などの機能性添加剤、栄養補助食品、薬剤、またはジュース、牛乳、もしくはヨーグルトなどの代替的な希釈剤を含む、任意の数の成分を含み得ることを理解されたい。成分は、再構成比率が約３：１〜約６：１以上の比である伝統的な飲料成分と一緒に濃縮され得る。飲料の微量成分の再構成比率は、約１０：１、２０：１、３０：１、またはそれよりも高く、多くが、５０：１〜３００：１の再構成比率とし得る。成分の粘度は、約１から約１００センチポアズに及び得る。図１は、カートリッジを２つ有する飲料ディスペンサ１００を示すが、飲料ディスペンサ１００は任意の数のカートリッジを含む。飲料ディスペンサ１００は、スティルウォーター入力部１１４およびＣＯ２入力部１１６を含む。スティルウォーター入力部１１４およびＣＯ２入力部１１６は、カーボネータ１０６にスティルウォーターおよびＣＯ２を供給する。スティルウォーター入力部１１４は、飲料ディスペンサ１００からスティルのすなわち炭酸の入っていない飲料の注出に使用するためのノズル１１８にも供給され得る。飲料ディスペンサは、飲料ディスペンサを通る流体の���れを制御するために、１つ以上のポンプ、弁、流れ制御装置、または他の装置（図示せず）を含み得ることを当業者は認識する。
【００１２】
動作中、飲料ディスペンサ１００は、ユーザーインターフェース１０２から、飲料のユーザー選択を受信する。飲料が選択された後、飲料ディスペンサ１００は、ユーザーが注出入力部１０４を押すことに応答して、飲料を計量分配する。計量分配中、カーボネータ１０６からの炭酸水、スティルウォーター入力部１１４からのスティルウォーター、または他の希釈剤が、ノズル１１８に流れる。同時に、飲料用の１種以上の飲料成分が、複数のカートリッジの１つ以上からノズル１１８まで流れる。ノズル１１８は、様々な成分および希釈剤の計量分配および混合を容易にし、最終飲料を生産する。例えば、炭酸水がカーボネータ１０６から流れ、飲料ベースが第１のカートリッジ１０８から流れ、および甘味料が第２のカートリッジ１１０から流れ得る。様々な成分はノズル１１８に流れてもよく、そこで、それら成分を組み合わせて、「混合後」の最終飲料を作る。一部の実施形態では、１種以上の成分は、ノズル１１８を出るまで別々のままであり、かつノズル１１８から流出する流体流内で空気が混ざる。
【００１３】
図２は、複数のカートリッジのうちの１つ（例えば、第１のカートリッジ１０８）を多面的に示す図である。第１のカートリッジ１０８は、容器２０２（図３を参照して下記で詳細に説明する）およびカートン２０４を含み得る（図４および図５を参照して下記で詳細に説明する）。カートン２０４は、飲料成分を貯蔵する袋、パウチ、ブラダー、または他の可撓性、半可撓性または非可撓性の成分用容器（図示せず）を含む。一部の実施形態では、成分用容器は剛性または半剛性の容器とし得る。一部の実施形態では、成分用容器は、カートン２０４によってもたらされた構造および保護の外部では、壊れやすく、または取り扱いまたは輸送することが困難もしくは高価であるとし得る。成分用容器は、内部に貯蔵された飲料成分にアクセスするための装備品２０８を含む。一部の実施形態では、カートンは、追加的な成分用容器を使用せずに飲料成分を直接貯蔵するラミネート容器とし得る。例えば、カートンは、Freemanらへの米国特許第８，２０１，７１２号（その全体をあらゆる点において本明細書に援用する）に説明されているカートンとし得る。
【００１４】
一部の実施形態では、カートン２０４は、少なくとも一部には、板紙、厚紙、ハニカムボードまたは他の安価かつ比較的入手しやすい材料で作製し得る。他の材料またはラミネートを使用してカートン２０４を構成してもよい。図２に示すように、カートン２０４は容器２０２内に収まる。カートン２０４を容器２０２内に挿入するとき、ランディング部２０６が装備品２０８を受ける。一部の実施形態では、ランディング部２０６は、ランディング部２０６の両側にバネ要素またはタブを含み、ランディング部２０６に装備品２０８をしっかりと保持し得る。一部の実施形態では、バネ要素は、装備品２０８に正の下向きの力を加えるか、またはそうでなければ装備品２０８を適所にロックして、容器２０２内への装備品の適切な載置および整列を確実にし得る。さらに、装備品２０８は、ランディング部２０６の周りで容器２０２の前面に係合するリップまたはフランジを含み、装備品２０８がランディング部２０６を通過しないようにし得る。装備品２０８は、プローブを介して飲料ディスペンサ１００の内部の配管に接続し（図８Ａ参照）、カートン２０４内に貯蔵された飲料成分とノズル１１８との間の流体連通を確立する。一般的に、プローブは、装備品２０８に挿入され、かつ装備品２０８のプラグ（図８Ａ参照）に係合してそれを開放し、それにより、プローブを通りかつノズル１１８までの飲料成分用の流体通路を確立する。装備品２０８からプローブが引っ込むと、装備品２０８のプラグは閉鎖されて、飲料成分が装備品２０８を通ってこぼれないようにし得る。一部の実施形態では、プローブおよび装備品２０８は、Lastへの米国特許第６，８７１，６７９号（その全体をあらゆる点において本明細書に援用する）に説明されているような形態を取り得る。一部の実施形態では、流体は、例えば、Innovative Packaging Network（IPN）Group（Peachtree City、Georgia）からの型ＩＰＮ  ＦＣ７８装備品によって提供されるプローブおよび装備品の配置構成に供給され得る。図２に示すように、容器２０２は、ベース面、前面、背面および２つの側面を含む。図５を参照して下記でより詳細に説明するように、容器２０２は、単体の射出成形プラスチックとし得る。一部の実施形態では、容器２０２は、金属、セラミックス、木材、または任意の他の材料またはこれらの組み合わせなど、他の材料で作製され得る。さらに、容器２０２は、任意の製造プロセスを使用して構成され得る。
【００１５】
容器２０２は、カートン２０４を飲料ディスペンサ１００に挿入するために使用され得る。プローブの挿入時に、ある量の力Ｆｆを装備品に加えて、プローブを適切に設置しかつプラグを開放して、ノズル１１８への飲料成分の流体連通を容易にし得る。しかしながら、一部の実施形態では、単独でまたは組み合わせで含まれるカートン２０４すなわち成分用容器は、十分に剛体ではないか、またはそうでなければ、プローブを挿入するときに力Ｆｆを加えるとき、装備品２０８を支持するのに十分な構造的な強度を有しない可能性がある。換言すると、カートン２０４および／または成分用容器は、力Ｆｆを加えると、曲がったり、撓んだり、またはそうでなければ崩れたりし、それにより、装備品２０８へのプローブの適切な設置を阻み得る。しかしながら、容器２０２にカートン２０４を設置しかつランディング部２０６に装備品２０８を載置させると、容器２０２は装備品に十分な構造的な支持をもたらして、装備品２０８へのプローブの適切な設置を可能にする。換言すると、容器２０２は、装備品２０８に力Ｆｆが加えられても、ランディング部２０６内の装備品２０８を支持し、それにより、装備品２０８にプローブを適切に設置できるようにする。それゆえ、飲料成分の配達および取り扱いの最中は、カートン２０４に飲料成分を貯蔵するためには、安価な材料を使用し得るが、その一方、カートン２０４に十分な構造的な支持をもたらして飲料ディスペンサ１００に設置できるようにするために、再使用可能な容器２０２を構成するためには、より高価な材料を使用し得る。
【００１６】
図３は、容器３０２を示す。図３に示す容器３０２は、２つのカートン２０４を受け入れ得る。それゆえ、容器３０２にあるカートン２０４のそれぞれは、２つのパウチを有し得る。あるいは、２つのカートン２０４の代わりに、容器３０２は、カートン２０４の２倍の容量を有する（それゆえ、また、２つのパウチを保管し得る）単一のカートンを受け入れ得る。容器３０２は、ベース面３０３、前面３０４、背面３０６、および２つの側面３０８を含む。前面３０４、背面３０６、および２つの側面３０８は、ベース面３０３から延出し、かつ２つのカートン２０４を収容するようなサイズの空洞を規定し得る。ベース面３０３は、さらに、１つ以上の「スピードバンプ」３５０を含むことが認識される。実施形態によれば、スピードバンプ３５０は、真空破壊をもたらし、かつ液体が数滴ある場合に、カートン２０４が液体に置かれないようにするのを支援し得る。
【００１７】
ベース面３０３は、整列溝３１０を規定し得る。整列溝３１０は、前面３０４から背面３０６まで延在する。図３は、前面３０４から背面３０６までほぼ完全に延在する整列溝３１０を示すが、整列溝３１０は、ベース面３０３の任意の長さに延在し得る。さらに、整列溝３１０は、ベース面３０３に沿った任意の箇所で始まり、かつベース面３０３の任意の長さに延在し得る。例えば、整列溝３１０は、ベース面３０３の長さの中間点の箇所で始まり、かつベース面３０３の長さの４分の１に延在し得る。さらに、複数の整列溝がベース面３０３によって規定され得る。
【００１８】
ベース面３０３はまた、凹部３１２を規定し得る。凹部３１２は、飲料ディスペンサ１００に接続された挿入ペグ（図示せず）を収容するようなサイズにされ得る。例えば、設置中、挿入ペグは、飲料ディスペンサ１００に接続されたレバーに接続される。ユーザーはレバーを使用して、挿入力を加え、その力が挿入ペグに伝達され得る。伝達された力は、ノズル１１８へつながる配管への装備品２０８の載置を支援する。
【００１９】
容器３０２はランディング部２０６を含む。ランディング部２０６は前面３０４によって規定される。ランディング部２０６は、装備品２０８を収容するようなサイズにされる。ランディング部２０６は、カートン２０４を容器３０２にしっかりと取り付けるように働く可撓性タブを含む。容器３０２は複数のランディング部２０６を含んでもよく、各パウチ装備品は、１つのランディング部に１つずつ設置される。図示の例では、２つのランディング部２０６を示す。
【００２０】
背面３０６は開口部３１４を規定する。開口部３１４は、カートン２０４が容器２０２内にあるとき、カートン２０４上にある製品ラベル４０２が見えるようなサイズにされる。背面３０６は突起３１６を含む。突起３１６は背面３０６から延出する。さらに、突起３１６は、製品ラベル４０２の可視性を実質的に損なうことなく、開口部３１４を取り囲む。
【００２１】
突起３１６は、ユーザーが突起３１６を把持できるようなサイズにされる。ユーザーが突起３１６を把持できるようにすることによって、ユーザーは、容器２０２をより良好に把持できるようになる。例えば、複数の容器を並べて設置する場合、２つの側面３０８を把持することは困難となり得る。突起３１６を把持することによって、ユーザーは、容器２０２に十分に大きな力を及ぼすことができるため、飲料ディスペンサ１００から容器２０２を容易に取り出せるようになる。突起３１６は、フレア付き面３２０を含み得る。フレア付き面３２０は、ユーザーが突起３１６を容易に把持できるようにする。
【００２２】
カートン２０４は飲料成分を入れている。装備品２０８は、カートン表面（例えば、カートン２０４の任意の外面）から延出している。装備品２０８は、カートン２０４と飲料ディスペンサ１００との間の流体連通を可能にするサイズにされる。
【００２３】
カートン２０４は、引き裂きセクション４０４を含む。引き裂きセクション４０４は、飲料成分の配達および取り扱いの最中、装備品２０８を被覆して保護する。引き裂きセクション４０４がカートン２０４から引き裂かれると、装備品２０８が露出する。引き裂きセクション４０４は、カートン２０４の穿孔された部分すなわちミシン目を付けられた部分とし得る。穿孔すなわちミシン目によって、引き裂きセクション４０４をカートン２０４から引き裂くことができる。あるいは、引き裂きセクション４０４は、接着剤を用いてカートン２０４に取り付けられ得る。カートンおよび容器（上述）は、全体的に垂直の向きで示すが、それらはまた、本明細書で説明する様々な実施形態の趣旨または範囲から逸脱せずに、水平の向きを有するように修正され得ることを理解されたい。
【００２４】
カートン２０４は、無線周波数識別（ＲＦＩＤ）チップ４０６を含み得る。ＲＦＩＤチップ４０６は、カートン２０４の内面または外面に取り付けられ得る。例えば、図４に示すように、ＲＦＩＤチップ４０６は外面４０８に取り付けられ得る。さらに、ＲＦＩＤチップ４０６は内面６０２に取り付けられ得る（図６参照）。さらに、ＲＦＩＤチップ４０６はカートン２０４の表面に埋め込まれ得る。例えば、外面４０８は、ＲＦＩＤチップ４０６を外面４０８と同一平面にすることができるような凹部を含み得る。さらに、ＲＦＩＤチップ４０６は、外面４０８に埋め込まれて被覆され得る。カバーは、カートン２０４と同じ材料で作製されても、または異なる材料で作製されてもよい。カバーはＲＦＩＤチップ４０６を保護する。
【００２５】
ＲＦＩＤチップ４０６を使用して、飲料ディスペンサ１００に対する飲料成分を識別し得る。例えば、ＲＦＩＤチップ４０６は、カートン２０４がスターターパックであることを伝達するように符号化され得る。スターターパックは、標準的な飲料成分のパックよりも小さいカートンとし得る。例えば、スターターパックには、ユーザーが機械を使用し始めるための、飲料成分の小サンプルが入っていてもよい。さらに、ＲＦＩＤチップ４０６は、カートン２０４がサンプルパックであることを伝達し得る。サンプルパックは、消費者に低価格で提供され、かつ飲料成分の小サンプルを提供し得る。ユーザーが新しいフレーバーおよび飲料をテストできるようにするために、製造者はサンプルパックを提供し得る。サンプルパックおよびスターターパックは、フルサイズのカートンを有してもよいが、標準的な容器に置かれ得る成分用容器よりも小さいブラダーまたは他の成分用容器がカートン２０４内に置かれてもよい。さらに、カートン２０４は、複数の成分用容器を含み得る。例えば、カートン２０４は、２つの成分用容器を含んでもよく、それらはそれぞれ、同じ成分でもまたは異なる成分でもよい。各成分用容器は、図３に示すランディング部２０６に係合する装備品２０８を有する。
【００２６】
図５は、カートン２０４および容器２０２を製造する方法５００のフローチャートを示す。方法５００は、開始ブロック５０２で始まり、容器２０２が射出成形される段階５０４に進む。例えば、段階５０４の最中、容器２０２は射出成形されて、カートン２０４を収容するための空洞を規定する。さらに、射出成形プロセスの最中または別個の射出成形プロセスにおいて、装備品２０８が形成され得る。さらに、ランディング部２０６は、射出成形プロセスの最中に形成され得るか、または射出成形プロセス後に容器２０２に切り込まれ得る。開口部３１４は、射出成形プロセスの最中に形成され得るか、またはその後で容器２０２に切り込まれ得る。
【００２７】
容器２０２の他の特徴は、射出成形プロセスの最中に形成され得る。例えば、射出成形プロセスの最中、背面３０６から延出する突起３１６が形成され得る。突起３１６はまた、背面３０６が形成された後で、背面３０６に取り付けられ得る。例えば、突起３１６は、接着剤または超音波溶接を用いて背面３０６に取り付けられ得る。整列溝３１０は、射出成形プロセスの最中に形成され得るか、またはベース面３０３に切り込まれ得る。例えば、ルーターを使用して、ベース面３０３に整列溝３１０を切り込んでもよい。
【００２８】
容器２０２が射出成形される段階５０４から、方法５００は、カートン２０４が製作される段階５０６に進む。カートン２０４の製作は、カートン２０４の表面から突出する装備品２０８を含むようにカートン２０４を製作することを含む。
【００２９】
段階５０６の最中、平らな素材（flat stock）からカートン２０４の輪郭６０４が打ち抜かれる。例えば、図６は、平らな素材から切り取られたカートン２０４の輪郭６０４を示す。ひとたび輪郭６０４が切り取られたら、平らな素材の表面６０８に折り目６０６が入れられる。さらに、線状の接着剤６１０を適用する。線状の接着剤６１０は、平らな素材を折り目６０６に沿って折り畳んだ後に使用されて、囲いを形成する。ブラダーは、線状の接着剤６１０を使用して囲いを形成する前に、設置される。
【００３０】
さらに、段階５０６の最中、引き裂きセクション４０４が形成され得る。例えば、打ち抜きプロセスの最中に、平らな素材にミシン目が切り込まれ得る。さらに、段階５０６の最中、引き裂きセクション４０４は、カートン２０４に取り付けられ得る。
【００３１】
カートンが形成される段階５０６から、方法５００は、ＲＦＩＤチップ４０６がカートン２０４に適用される段階５０８に進み得る。例えば、段階５０８の最中、図６に示すように、ＲＦＩＤチップ４０６はカートン２０４の内面６０２に適用され得る。さらに、図４に示すように、ＲＦＩＤチップ４０６は、カートン２０４の表面に埋め込まれてもよい。一部の実施形態では、ＲＦＩＤチップ４０６は、例えばＲＦＩＤチップ４０６を含むステッカーまたは他のそのような基材を適用することによって、カートン２０４の外面に設置され得る。ＲＦＩＤチップ４０６が設置される段階５０８から、方法５００は終了ブロック５１０で終了する。
【００３２】
図７は、飲料成分を入れているカートン２０４を飲料ディスペンサ１００に挿入する方法７００のフローチャートを示す。方法７００は、開始ブロック７０２で開始し、かつ引き裂きセクション４０４がカートン２０４から取り除かれる段階７０５に進む。引き裂きセクション４０４が取り除かれる段階７０５から、方法７００は、カートン２０４が容器２０２に挿入される段階７０６に進む。例えば、カートン２０４は、前面３０４、背面３０６、および２つの側面３０８によって形成された空洞に挿入される。カートン２０４を容器２０２に挿入している最中に、装備品２０８は、前面３０４によって規定されたランディング部２０６に挿入される。
【００３３】
カートン２０４が容器２０２に挿入される段階７０６から、方法７００は、容器２０２が飲料ディスペンサ１００に部分的に挿入される段階７０８に進む。例えば、段階７０８の最中、整列溝３１０を使用して容器２０２を整列させ得る。整列は、装備品２０８を、飲料ディスペンサ１００の配管に係合するための適切な個所へ案内するのを支援し得る。
【００３４】
容器２０２が飲料ディスペンサ１００に部分的に挿入される段階７０８から、方法７００は、装備品２０８を飲料ディスペンサ１００に係合させる段階７１０に進む。例えば、飲料ディスペンサ１００にカートン２０４を挿入している最中、突起３１６に圧力が加えられる。圧力は、ユーザーによって、ユーザーが突起３１６を押すときに加えられ得る。さらに、圧力は、容器２０２が飲料ディスペンサ１００内に固定されているとき、飲料ディスペンサ１００の扉によって加えられ得る。さらに、飲料ディスペンサ１００に取り付けられたレバーが、凹部３１２に係合し、かつ容器２０２に圧力を加えてもよい。圧力によって、装備品を飲料ディスペンサ１００の配管に係合させる。段階７１０から、方法７００は、終了ブロック７１２で終了する。
【００３５】
図８および図８Ａは、容器８０２およびカートン８０４を含むカートリッジ８００の別の例を多面的に示す図である。上述の容器２０２およびカートン２０４の考えられる態様および特徴の多くは、下記で説明する容器８０２およびカートン８０４にも適用可能である。
【００３６】
カートン８０４は、図示の通り容器８０２に収まるように配置および構成され得る。カートン８０４は、飲料成分を貯蔵する袋、パウチ、ブラダー、または他の可撓性の成分用容器（図示せず）を含む。可撓性の成分用容器の特徴は、既に上述したものと同様である。図１２〜１３を参照してカートン８０４をより詳細に示しかつ説明する。
【００３７】
一例では、可撓性の成分用容器は装備品８０８を含み得る。図示の例では、ランディング位置にある装備品８０８を示す。可撓性の成分用容器の装備品８０８は、飲料ディスペンサ１００内部の配管とプローブ（図示せず）を介して接続して、カートン８０４に貯蔵された飲料成分とノズル１１８との間の流体連通を確立するように、設計される。装備品８０８の考えられる態様および特徴の多くは、開示されるか、または図２に示す備品２０８と同様である。
【００３８】
一例では、容器８０２を使用して、カートン８０４を飲料ディスペンサ１００に挿入し得る。図８に示すように、容器８０２は、ベース面８１０、前面８１２、背面８１４、および２つの側面８１６を含む。一実施形態では、前面８１２、背面８１４、および２つの側面８１６は、ベース面８１０から延出して、カートン８０４を収容するようなサイズにされた空洞８０６を規定する。カートン８０４が空洞８０６内にあるとき、カートン８０４と容器８０２の背面８１４との間に間隔Ｓ１が規定される。図示の例では、間隔Ｓ１は約０．２５インチである。間隔Ｓ１は、他の実施形態では異なり得ることを理解されたい。空洞８０６は、さらに、カートン８０４と容器８０２の２つの側面８１６との間に間隔Ｓ２を規定し得る。図示の例では、間隔Ｓ２は約０．０６インチである。間隔Ｓ２は、他の実施形態では異なり得ることを理解されたい。
【００３９】
一実施形態では、容器８０２は長さＬ１を有する。図示の実施形態では、長さＬ１は約１０．５インチである。容器８０２の長さＬ１は、他の実施形態では異なり得ることを理解されたい。容器８０２は高さＨ１を有する。図示の実施形態では、高さＨ１は約４．３インチである。高さＨ１は、他の実施形態では異なり得ることを理解されたい。容器８０２は、幅Ｗ１を有する。図示の実施形態では、幅Ｗ１は約１．６インチである。幅Ｗ１は、他の実施形態では異なり得ることを理解されたい。
【００４０】
他の構成では、下記でさらに開示するように、容器８０２の寸法は、異なるサイズのカートンを保持するために異なり得る。一部の実施形態では、容器８０２は、少なくとも一部には、プラスチック材料で作製されて、カートン８０４を見えるようにし得る。例えば、容器８０２は、透明な材料で構成でき、ユーザーがカートン８０４上のラベルを見ることができるようにする。他の材料またはラミネートを使用して容器８０２を構成してもよいことを理解されたい。
【００４１】
いくつかの例では、容器８０２は、２つの側面８１６の上縁８２０に沿って配置されたランディング部分８１８を含む。ランディング部分８１８は、背面８１４から容器８０２の２つの側面８１６に沿って長さＬ２で延在する平らな平面とし得る。一例では、２つの側面８１６は、それぞれ、ランディング部分８１８の遠位端部８２４から前面８１２の方へ長さＬ３で延在する傾斜部分８２２を含む。いくつかの例では、傾斜部分８２２は、カートン８０４に対して角度αで下方に延在するように構成され、角度αは、前面８１２に向かう方向Ｄにおいて大きくなる。一例では、角度αは、ランディング部分８１８の遠位端部８２４から前面８１２まで、約０度から約３５度に及ぶとし得る。角度αは、他の実施形態では異なり得ることが理解される。
【００４２】
容器８０２のランディング部分８１８は、カートリッジ８００を飲料ディスペンサ１００内で適切に位置決めできるようにする。ランディング部分８１８は飲料ディスペンサ１００の内部構造に係合でき、その飲料ディスペンサの内部構造は、カートリッジ８００をそこによりしっかりと固定するために、カートリッジ８００に下向きの力をもたらすように配置および構成されている。そのような配置は、カートリッジ８００が確実に飲料ディスペンサ１００内で動かないように、または飲料ディスペンサ１００から滑り出ないようにするのを支援し得る。
【００４３】
一実施形態では、容器８０２は、背面８１４に位置する突起８２６を含む。突起８２６は、容器８０２と１つのユニタリー部片から形成されると定義され得る。他の実施形態では、突起８２６は、締結具または溶接マウントなどの他の手段によって、容器８０２の背面８１４に結合され得る。図示の実施形態では、背面８１４に位置する突起８２６を含む容器８０２の長さＬ４は、約１０．８インチである。突起８２６は、背面８１４から長さＬ５で延在し得る。図示の例では、長さＬ５は約０．３３インチである。長さＬ５は、他の実施形態では異なってもよいことが理解される。突起８２６の考えられる態様および特徴の多くは、開示されるか、または図３に示す突起３１６と同様である。
【００４４】
図９を参照すると、例示的な容器８０２の特徴が示されている。図９は、例示的な容器８０２の斜視図である。容器８０２の２つの側面８１６は、それぞれ、凹面８３０を形成する凹部８２８を規定できる（２つの側面のうちの一方を示す）。凹部８２８は、カートン８０４が容器８０２内に適切に収まるように、構成され得る。
【００４５】
図１０を参照して説明すると、容器８０２は、前面８１２に、装備品８０８を収容するためのランディング部８３２を規定する。一例では、ランディング部８３２は、装備品８０８をランディング部８３２に案内するための細長いスロット８３４を含み得る。ランディング部８３２は、細長いスロット８３４の下側に形成された卵形リング８３６を含み、そこに装備品８０８が載り得る。卵形リング８３６は、細長いスロット８３４の下部８３８から外向きに湾曲している。
【００４６】
一実施形態では、ランディング部８３２は、装備品８０８をランディング部８３２にしっかりと保持するために、ランディング部８３２の両側にバネ要素またはタブを含み得る。一部の実施形態では、バネ要素は、容器８０２内での装備品８０８の適切な載置および整列を保証するために、装備品８０８に正の下向きの力を加え得るか、またはそうでなければ装備品８０８を適所にロックし得る。さらに、装備品８０８は、ランディング部８３２の周りで容器８０２の前面に係合するリップまたはフランジを含み、装備品８０８がランディング部８３２を通過しないようにし得る。
【００４７】
装備品８０８は、飲料ディスペンサ１００内部の配管にプローブ８３１を介して接続されて、カートン８０４に貯蔵された飲料成分とノズル１１８との間の流体連通を確立する。一般的に、プローブは、装備品８０８に挿入され、かつ装備品８０８のプラグ８３３に係合してそれを開放し、それにより、パウチ８３７内の飲料成分のための、プローブを通りかつノズル１１８への流体通路を確立し得る。図８Ａ参照。ランディング部８３２の考えられる態様および特徴の多くは、開示されるか、または図２〜３に示すランディング部２０６と同様である。
【００４８】
ベース面８１０は整列溝８４０を規定し得る。整列溝８４０は、前面８１２から背面８１４まで延在し得る。整列溝８４０は、前面８１２から背面８１４まで完全に延在し得る。他の実施形態では、整列溝８４０は、ベース面８１０に任意の長さで延在し得る。さらに、整列溝８４０は、ベース面８１０に沿った任意の箇所で始まり、かつベース面８１０に任意の長さで延在し得る。例えば、整列溝８４０は、ベース面８１０に沿った中間点の箇所で始まり、かつベース面８１０の４分の１の長さに延在し得る。さらに、複数の整列溝がベース面８１０によって規定され得る。
【００４９】
背面８１４は開口部８４２を規定する。開口部８４２は、カートン８０４が容器８０２内にあるときに、カートン８０４（図８参照）が見えるようなサイズにされる。一実施形態では、突起８２６（図８参照）が、カートン８０４の可視性を実質的に損なわずに、開口部８４２を取り囲む。
【００５０】
図１１を参照すると、容器８０２の上面図が示されている。ベース面８１０は、ベース面８１０の内面８４６に沿って配置された複数のバンプ８４４を含んで示されている。一実施形態では、バンプ８４４は、真空破壊をもたらすのを支援し得る。液体が容器８０２の底部に滴る場合、バンプ８４４は、カートン８０４が液体に置かれないようにし得る。
【００５１】
図１２〜１３は、カートン８０４を多面的に示す図である。一部の実施形態では、カートン８０４は、少なくとも一部には、板紙、厚紙、ハニカムボード、または他の安価かつ比較的入手しやすい材料で作製され得る。他の材料またはラミネートを使用してカートン８０４を構成してもよい。
【００５２】
一実施形態では、カートン８０４は、上面８４８、底面８５０、および２つの主要面８５２を含み得る。カートン８０４は長さＬ６を有する。図示の例では、長さＬ６は約９．９インチである。長さＬ６は、他の実施形態では異なり得ることを理解されたい。カートン８０４は高さＨ２を有する。図示の例では、高さＨ２は約４インチである。高さＨ２は、他の実施形態では異なり得ることを理解されたい。
【００５３】
カートンには他の寸法が可能である。例えば、別の実施形態では、長さは約１１．５インチであり、高さは約４．６インチであり、および幅は約１．６インチである。さらに別の実施形態では、カートンの寸法は、約１６．４インチ×４インチ×１．３インチである。
【００５４】
いくつかの実施形態では、カートン８０４は引き裂きセクション８５４を含む。引き裂きセクション８５４は、角度付き面８５６を形成するために引き裂きセクション８５４を切り離すための点線を含む。引き裂きセクション８５４は、飲料成分の配達および取り扱いの最中に装備品８０８（図８参照）を被覆して保護する。引き裂きセクション８５４をカートン８０４から引き裂いて、角度付き面８５６を形成すると、装備品８０８が露出する。引き裂きセクション８５４の点線は、穿孔された線すなわちミシン目線とし得る。ミシン目によって、引き裂きセクション８５４をカートン８０４から引き裂くことができる。引き裂きセクション８５４は、カートン８０４から角度α１で引き裂かれ得る。図示の実施形態では、角度α１は約２１度とし得る。角度α１は、他の実施形態では異なり得ることを理解されたい。
【００５５】
引き裂きセクション８５４がカートン８０４から取り除かれると、カートン８０４は容器８０２に収まって、凹部８２８に当接し得る。引き裂きセクション８５４の形状は、凹部８２８の形状に対応し得る。具体的には、ひとたび引き裂きセクション８５４がカートン８０４から取り除かれると、カートン８０４の角度α１は、凹部８２８によって形成された角度を補完するため、カートン８０４は容器８０２に収まる。これは、カートン８０４が容器に挿入されるときに適切な向きにされることを確実にする。例えば、カートン８０４が逆さまにひっくり返されて容器８０２に挿入された場合、凹部８２８がカートン８０４に接触した後、カートンは容器８０２に完全に挿入され得る。カートン８０４が逆にされた場合も、同様の結果が生じる。
【００５６】
別の実施形態では、引き裂きセクション８５４は、接着剤を用いるなど他の機構を使用して、カートン８０４に取り付けられ得る。
【００５７】
カートンおよび容器（上述）は、全体的に垂直の向きで示すが、それらはまた、本明細書で説明する様々な実施形態の趣旨または範囲から逸脱せずに、水平の向きを有するように修正され得ることを理解されたい。
【００５８】
いくつかの実施形態では、底面８５０は、卵形部分８７０を含み得る。卵形部分８７０は、引き裂きセクション８５４をユーザーが掴んで取り除くのを簡単にする。
【００５９】
カートン８０４は、上面８４８に保護層８５８を含む。保護層８５８は、例えば、接着剤によって、上面８４８に接着され得る。保護層８５８は長さＬ７を有する。図示の例では、長さＬ７は約９．０インチとし得る。長さＬ７は、他の実施形態では異なり得ることを理解されたい。保護層８５８は幅Ｗ２を有する。図示の例では、幅Ｗ２は約１．０インチとし得る。幅Ｗ２は、他の実施形態では異なり得ることを理解されたい。保護層８５８がカートン８０４に接着されると、カートン８０４は高さＨ４を有し得る。
【００６０】
保護層８５８は、遠位端部８６０、および近位端部８６２を有する。いくつかの例では、近位端部８６２は、平坦な部分８６４と、平坦な部分８６４に隣接してテーパが付けられる側辺部８６６とを有し得る。側辺部８６６は、平坦な部分８６４から角度α２でテーパが付けられ得る。図示の例では、角度α２は約４５度である。角度α２は、他の実施形態では異なり得ることを理解されたい。
【００６１】
いくつかの実施形態では、カートン８０４は、無線周波数識別（ＲＦＩＤ）チップ８６８を含む。ＲＦＩＤチップ８６８は、カートン８０４の内面または外面に取り付けられ得る。例えば、図１２に示すように、ＲＦＩＤチップ８６８は保護層８５８に取り付けられ得る。ＲＦＩＤチップ８６８は、保護層８５８に沿ってどこへでも取り付けることができる。一部の実施形態では、ＲＦＩＤチップ８６８は、カートン８０４の内面に取り付けられ得る。
【００６２】
他の実施形態では、ＲＦＩＤチップ８６８は、カートン８０４の表面に埋め込まれ得る。例えば、外面は、ＲＦＩＤチップ８６８が外面と同一平面になることができるようにし得る凹部を含み得る。さらに、ＲＦＩＤチップ８６８は、外面に埋め込まれて被覆され得る。カバーは、カートン８０４と同じ材料で作製されても、または異なる材料で作製されてもよい。カバーはＲＦＩＤチップ８６８を保護する。ＲＦＩＤチップ８６８の考えられる態様および特徴の多くは、開示されるか、または図４に示すＲＦＩＤチップ４０６と同様である。それゆえ、この構造の説明および特徴は、ここでは、ＲＦＩＤチップ８６８に関して、繰り返さない。
【００６３】
図１３を参照して説明すると、カートン８０４の輪郭８７２は、平らな素材から打ち抜かれ得る。他の実施形態では、カートン８０４の輪郭８７２は、平らな素材から切り取られ得る。カートン８０４の輪郭８７２は、ひとたび輪郭８７２が切り取られると、平らな素材の表面８７６につけられた折り目８７４を含み得る。一部の例では、線状の接着剤８７８が適用される。平らな素材を折り目８７４に沿って折り畳んだ後、線状の接着剤８７８を使用して、囲いを形成できる。
【００６４】
図１３ａを参照すると、カートン８０４ａの輪郭８７２ａの別の例が示されている。図示の例では、カートン８０４ａの副フラップ８８２には、改竄証拠穿孔８８０がある。改竄証拠穿孔８８０は、カートン８０４ａを開けると裂けるように構成される。改竄証拠穿孔８８０は、カートン８０４ａが改竄されたか否かの証拠を提供し得る。
【００６５】
一実施形態では、２本の接着剤線８７８ａがカートン８０４ａの副フラップ８８２に適用されている。改竄証拠穿孔８８０は、２本の接着剤線８７８ａの一方が改竄証拠穿孔８８０の片側にあるように、位置合わせされる。例えば、２本の接着剤線８７８ａは距離Ｄ２離間されて、カートン８０４ａが閉鎖されるときに改竄証拠穿孔８８０が２本の接着剤線８７８ａの間に存在するようにし得る。一例では、距離Ｄ２は０．５インチとし得る。Ｄ２は、他の実施形態では異なり得ることを理解されたい。いくつかの実施形態では、単一の接着剤線が、カートン８０４ａの主フラップ８８４に適用され得る。
【００６６】
他の機構を使用して、カートンの改竄を示してもよい。例えば、いくつかの代替的な実施形態では、さらなる改竄証拠のために改竄証拠穿孔８８０を横切って改竄証拠テープ（図示せず）が適用され得る。
【００６７】
図１４を参照すると、容器９０２およびカートン９０４を含むカートリッジ９００の別の例の多面的な図が示されている。図示の実施形態では、容器９０２は、２つのカートン９０４を収容するようなサイズにされる。容器９０２内のカートン９０４の数は、他の実施形態では異なり得ることが理解される。一例では、容器９０２は、それぞれのカートン９０４に１つの、２つのパウチを有し得る。あるいは、２つのカートン９０４の代わりに、容器９０２は、２つのパウチの体積を保持する容量を有する単一のカートンを受け入れ得る。上述の容器８０２およびカートン８０４の考えられる態様および特徴の多くは、下記で説明する容器９０２およびカートン９０４にも適用可能である。
【００６８】
いくつかの実施形態では、容器９０２は、ベース面９０６、前面９０８、背面９１０、および２つの側面９１２を含む。前面９０８、背面９１０、および２つの側面９１２は、ベース面９０６から延出し、かつ２つのカートン９０４を収容するようなサイズの空洞を規定し得る。容器９０２は長さＬ８を有する。図示の実施形態では、長さＬ８は約１０．５インチである。容器９０２の長さＬ８は、他の実施形態では異なり得ることを理解されたい。容器９０２は高さＨ５を有する。図示の実施形態では、高さＨ５は約４．４インチである。高さＨ５は、他の実施形態では異なり得ることを理解されたい。容器９０２は幅Ｗ３を有する。図示の実施形態では、幅Ｗ３は約３．３インチである。幅Ｗ３は、他の実施形態では異なり得ることを理解されたい。
【００６９】
いくつかの例では、容器９０２は、２つの側面９１２に沿って位置するランディング部分９１４を含む。ランディング部分９１４は、背面９１０から容器９０２の２つの側面９１２に沿って長さＬ９で延在する平らな平面とし得る。容器９０２のランディング部分９１４は、カートリッジ９００を飲料ディスペンサ１００内に適切に位置決めできるようにする。ランディング部分９１４は飲料ディスペンサ１００の内部構造に係合でき、その飲料ディスペンサの内部構造は、そこにカートリッジ９００をしっかりと固定するために、カートリッジ９００に下向きの力をもたらすように配置および構成されている。
【００７０】
一実施形態では、容器９０２は、背面９１０に位置する突起９１８を含む。突起９１８は、容器９０２と１つのユニタリー部片から形成されると定義され得る。他の実施形態では、突起９１８は、締結具または溶接マウントなどの他の手段によって、容器９０２の背面９１０に結合され得る。図示の実施形態では、背面９１０に位置する突起９１８を含む容器９０２の長さＬ１０は、約１０．６インチである。突起９１８は、背面９１０から長さＬ１１で延在し得る。図示の例では、長さＬ１１は約０．３３インチである。長さＬ１１は、他の実施形態では異なってもよいことが理解される。突起９１８の考えられる態様および特徴の多くは、開示されるか、または図８に示す突起８２６と同様である。それゆえ、これらの構造の説明および特徴は、ここでは、突起９１８に関し、繰り返さない。
【００７１】
図１５を参照すると、例示的な容器９０２の特徴が示されている。
【００７２】
図１５は、例示的な容器９０２の斜視図である。容器９０２の２つの側面９１２は、それぞれ、凹面９２２を形成する凹部９２０を規定し得る（２つの側面の一方を示す）。凹部９２０は、カートン９０４が容器９０２内に適切に収まるように、構成され得る。
【００７３】
容器９０２は、前面９０８に、装備品９２６を収容するためのランディング部９２４を規定する（図１４参照）。一例では、ランディング部９２４は、装備品９２６をランディング部９２４に案内するための細長いスロット９２８を含み得る。ランディング部９２４は、細長いスロット９２８の下側に形成された卵形リング９３０を含み、そこに、装備品９２６が載り得る。卵形リング９３０は、細長いスロット９２８の下部９３２から外向きに湾曲する。ランディング部９２４および装備品９２６の考えられる態様および特徴の多くは、開示されるか、または図８および図１０に示すランディング部８３２および装備品８０８と同様である。それゆえ、これらの構造の説明および特徴は、ここでは、ランディング部９２４および装備品９２６に関し、繰り返さない。
【００７４】
図１６を参照すると、容器９０２の上面図が示されている。一実施形態では、ベース面９０６は、整列溝９３４を規定し得る。整列溝９３４は、前面９０８から背面９１０まで延在する。整列溝９３４は、前面９０８から背面９１０まで完全に延在し得る。他の実施形態では、整列溝９３４は、ベース面９０６の任意の長さに延在し得る。さらに、整列溝９３４は、ベース面９０６に沿った任意の箇所で始まり、かつベース面９０６を任意の長さで延在し得る。
【００７５】
背面９１０は開口部９３６を規定する。開口部９３６は、カートン９０４が容器９０２内にあるとき、カートン９０４（図１４参照）が見えるようなサイズにされる。一実施形態では、突起９１８（図１４参照）は、カートン９０４の可視性を実質的に損なわずに、開口部９３６を取り囲む。ベース面９０６は、ベース面９０６の内面９４０に沿って配置された複数のバンプ９３８を含むように示されている。
【００７６】
図１７を参照すると、容器１０００の別の実施形態の斜視図が示されている。容器１０００は、ベース１００２、２つの側面１００４、前面１００６、および後面１００８を含み得る。２つの側面１００４、前面１００６、および後面１００８はベース１００２から延出して、空洞１０１０を規定する。一部の例では、容器１０００は、トレイとして配置および構成され得る。
【００７７】
図１８を参照すると、容器１０００の多面的な図が示されている。
【００７８】
容器１０００は、飲料成分を貯蔵する袋、パウチ、ブラダー、または他の可撓性の成分用容器（図示せず）を保持するように配置および構成され得る。一例では、可撓性の成分用容器は、装備品（図示せず）を含み得る。可撓性の成分用容器および装備品の特徴は、既に上述したものと同様である。
【００７９】
一実施形態では、容器１０００は長さＬ１２を有する。図示の実施形態では、長さＬ１２は約１２．２５インチである。容器１０００の長さＬ１２は、他の実施形態では異なり得ることを理解されたい。容器１０００は高さＨ６を有する。図示の実施形態では、高さＨ６は約１．４インチである。高さＨ６は、他の実施形態では異なり得ることを理解されたい。容器１０００は幅Ｗ４を有する。図示の実施形態では、幅Ｗ４は約５インチである。幅Ｗ４は、他の実施形態では異なり得ることを理解されたい。
【００８０】
一実施形態では、容器１０００は、容器１０００の２つの側面１００４にレール１０１２を含む。レール１０１２は、容器１０００を飲料ディスペンサ１００に摺動させるように構成され得る。レール１０１２を備える容器１０００は、幅Ｗ５を有する。図示の実施形態では、幅Ｗ５は約５．４インチである。容器１０００の幅Ｗ５は、他の実施形態では異なり得ることを理解されたい。容器１０００のレール１０１２は、容器１０００を飲料ディスペンサ１００内に適切に位置決めできるようにする。そのような配置は、容器１０００が確実に飲料ディスペンサ１００内で動かないように、または飲料ディスペンサ１００から滑り出ないようにすることを支援し得る。レール１０１２は幅Ｗ６を有し得る。図示の実施形態では、幅Ｗ６は約０．２３インチである。レール１０１２の幅Ｗ６は、他の実施形態では異なり得ることを理解されたい。
【００８１】
一実施形態では、容器１０００は、容器１０００の後面１００８にあるハンドル１０１４を含む。一例では、ハンドル１０１４を使用して、容器１０００をディスペンサに適切に位置決めできる。ハンドル１０１４は、その下側に延在するリップ１０１３を含み得る。ハンドル１０１４は、容器１０００と１つのユニタリー部片から形成されると定義され得る。他の実施形態では、ハンドル１０１４は、締結具または溶接マウントなどの他の手段によって、容器１０００の後面１００８に結合され得る。図示の実施形態では、ハンドル１０１４は、容器１０００の後面１００８から距離Ｄ１延出する。距離Ｄ１は約０．６インチである。距離Ｄ１は、他の実施形態では異なってもよいことが理解される。ハンドルは幅Ｗ７を有し得る。図示の実施形態では、幅Ｗ７は約３．３インチとし得る。幅Ｗ７は、他の実施形態では異なり得ることが理解される。
【００８２】
いくつかの例では、容器１０００は、前面１００６に、装備品を収容するためのランディング部１０１６を規定する。一例では、ランディング部１０１６は、装備品をランディング部１０１６に案内するための細長いスロット１０１８を含み得る。ランディング部１０１６は、細長いスロット１０１８の下側に形成された卵形リング１０２０を含み、そこに装備品が載り得る。卵形リング１０２０は、細長いスロット１０１８から外向きに湾曲する。
【００８３】
一実施形態では、ランディング部１０１６は、装備品をランディング部１０１６にしっかりと保持するために、ランディング部１０１６の両側にバネ要素またはタブを含み得る。一部の実施形態では、バネ要素は、容器１０００内での装備品の適切な載置および整列を確実にするために、装備品に正の下向きの力を加え得るか、またはそうでなければ装備品を適所にロックし得る。さらに、装備品は、ランディング部１０１６の周りで、容器１０００の前面に係合するリップまたはフランジを含み、装備品がランディング部１０１６を通過しないようにし得る。
【００８４】
装備品は、飲料ディスペンサ１００内の配管にプローブ（図示せず）を介して接続して、カートンに貯蔵された飲料成分とノズル１１８との間の流体連通を確立する。一般的に、プローブは、装備品に挿入され、かつ装備品のプラグ（図示せず）に係合しかつそれを開放し、それにより、プローブを通りかつノズル１１８への飲料成分用の流体通路を確立する。ランディング部１０１６の考えられる態様および特徴の多くは、開示されるか、または図１０に示すランディング部８３２と同様である。それゆえ、これらの構造の説明および特徴は、ここでは、ランディング部１０１６に関し、繰り返さない。
【００８５】
一実施形態では、前面１００６は、側辺部１０２２と、側辺部１０２２に隣接した角度付き側辺部１０２４とを含む。角度付き側辺部１０２４は、２つの側面１００４の一方へ向かって角度α３で延在する。図示の例では、角度α３は約３０度である。角度α３は、他の実施形態では異なり得ることを理解される。前面１００６の構成は、飲料ディスペンサ１００または任意の他のディスペンサの内側に収まるように設計される。
【００８６】
図示の例では、容器１０００は、カートン、例えばカートン２０４、８０４を収容するようなサイズである。一例では、カートン８０４は、主要面８５２の一方上で位置決めされて、容器１０００に装填される。カートン８０４の角度付き面８５６は、容器１０００の角度付き側辺部１０２４に対応し、カートン８０４の主要面８５２が空洞１０１０内のベース１００２と同一平面に載置されるようにする。
【００８７】
図１９を参照すると、容器２０００の別の例の多面的な図が示されている。容器２０００は、ベース２００２、２つの側面２００４、前面２００６、および後面２００８を含み得る。２つの側面２００４、前面２００６、および後面２００８は、ベース２００２から延出して、空洞２０１０を規定する。一部の例では、容器２０００は、トレイとして配置および構成され得る。
【００８８】
容器２０００は、飲料成分を貯蔵する袋、パウチ、ブラダー、または他の可撓性の成分用容器（図示せず）を保持するように配置および構成され得る。一例では、可撓性の成分用容器は、装備品（図示せず）を含み得る。可撓性の成分用容器および装備品の特徴は、既に上述したものと同様である。例えば、容器２０００は、カートン、例えばカートン２０４、８０４の一方を保持するように構成され得る。
【００８９】
一実施形態では、容器２０００は長さＬ１３を有する。図示の実施形態では、長さＬ１３は約３３６ｍｍである。容器２０００の長さＬ１３は、他の実施形態では異なり得ることを理解されたい。容器２０００は高さＨ７を有する。図示の実施形態では、高さＨ７は約２５ｍｍである。高さＨ７は、他の実施形態では異なり得ることを理解されたい。容器２０００は幅Ｗ８を有する。図示の実施形態では、幅Ｗ８は約１２９ｍｍである。幅Ｗ８は、他の実施形態では異なり得ることを理解されたい。
【００９０】
一実施形態では、容器２０００の２つの側面２００４はそれぞれ、水平部材２０１２ａおよび２０１２ｂをそれぞれ含む。水平部材２０１２ａは、水平部材２０１２ａから外向きに延在するフランジ部材２０１４を含む。フランジ部材２０１４は、リブ２０１６と、容器２０００をディスペンサにロックするための留め具２０１８とを有する。容器２０００は、フランジ部材２０１４が容器２０００をロックするまで、ディスペンサの内側を摺動し得る。フランジ部材は幅Ｗ９を有する。図示の実施形態では、幅Ｗ９は約１４ｍｍである。フランジ部材２０１４の幅Ｗ９は、他の実施形態では異なり得ることを理解されたい。
【００９１】
一実施形態では、容器２０００は、容器２０００の後面２００８にあるハンドル２０２０を含む。一例では、ハンドル２０２０を使用して、容器２０００をディスペンサに適切に位置決めできる。ハンドル２０２０は、容器２０００と１つのユニタリー部片から形成されると定義され得る。他の実施形態では、ハンドル２０２０は、締結具または溶接マウントなどの他の手段によって、容器２０００の後面２００８に結合され得る。
【００９２】
後面２００８は開口部２０２２を規定する。開口部２０２２は、飲料成分を容器２０００の空洞２０１０に簡単に挿入できるようにするように構成され得る。後面２００８および開口部２０２２の配置および構成は、他の実施形態では異なってもよいことを理解されたい。
【００９３】
いくつかの例では、容器２０００は、前面２００６に、装備品を収容するためのランディング部２０２４を規定する。一例では、ランディング部２０２４は卵形リング２０２６を含み、そこに装備品が載り得る。
【００９４】
一実施形態では、ランディング部２０２４は、装備品をランディング部２０２４にしっかりと保持するために、ランディング部２０２４の両側にバネ要素またはタブを含み得る。さらに、装備品は、ランディング部２０２４の周りで容器２０００の前面に係合するリップまたはフランジを含み、装備品がランディング部２０２４を通過しないようにし得る。ランディング部２０２４の考えられる態様および特徴の多くは、開示されるか、または図１８に示すランディング部１０１６と同様である。それゆえ、これらの構造の説明および特徴は、ここでは、ランディング部２０２４に関し、繰り返さない。
【００９５】
いくつかの実施形態では、前面２００６は、そこから延出しかつランディング部２０２４に隣接する受け器２０２８を含み得る。受け器２０２８を使用して、飲料成分のパウチにある装備品からの滴または流体を捕捉し得る。受け器２０２８は、容器２０００と１つのユニタリー部片から形成されると定義され得る。他の実施形態では、受け器２０２８は、締結具または溶接マウントなどの他の手段によって、容器２０００の前面２００６に結合され得る。
【００９６】
一実施形態では、前面２００６は、側辺部２０３０と、側辺部２０３０に隣接する角度付き側辺部２０３２とを含む。角度付き側辺部２０３２は、２つの側面２００４の一方へ向かって、ある角度で延在する。前面２００６の構成は、飲料ディスペンサ１００または任意の他のディスペンサの内側に収まるように設計される。図示の例では、角度は約３０度である。角度は、他の実施形態では異なり得ることが理解される。
【００９７】
図示の例では、容器２０００は、カートン、例えばカートン２０４、８０４を収容するようなサイズである。一例では、カートン８０４は、主要面８５２の一方上で位置決めされて、容器２０００に装填される。カートン８０４の角度付き面８５６は、容器２０００の角度付き側辺部２０３２に対応して、カートン８０４の主要面８５２が、空洞２０１０内でベース２００２と同一平面に載置されるようにする。
【００９８】
図２０を参照すると、カートン３０００の別の例の多面的な図が示されている。一部の実施形態では、カートン３０００は、少なくとも一部には、板紙、厚紙、ハニカムボード、または他の安価かつ比較的入手しやすい材料で作製され得る。他の材料またはラミネートを使用して、カートン３０００を構成してもよい。
【００９９】
一実施形態では、カートン３０００は、上面３００２、底面３００４、および２つの主要面３００６を含み得る。カートン３０００は長さＬ１４を有する。図示の例では、長さＬ１４は約９．９インチである。長さＬ１４は、他の実施形態では異なり得ることを理解されたい。カートン３０００は高さＨ８を有する。図示の例では、高さＨ８は約４インチである。高さＨ８は、他の実施形態では異なり得ることを理解されたい。カートン３０００は幅Ｗ９を有する。図示の例では、幅Ｗ９は約１．３インチである。幅Ｗ９は、他の実施形態では異なり得ることを理解されたい。
【０１００】
カートン３０００には他の寸法も可能である。例えば、別の実施形態では、長さＬ１４は約１１．５インチであり、高さＨ８は約４．６インチであり、および幅Ｗ９は約１．６インチである。さらに別の実施形態では、カートン３０００の寸法は、約１６．４インチ×４インチ×１．３インチである。
【０１０１】
カートンおよび容器（上述）は、全体的に垂直の向きで示すが、それらはまた、本明細書で説明する様々な実施形態の趣旨または範囲から逸脱せずに、水平の向きを有するように修正され得ることを理解されたい。
【０１０２】
いくつかの実施形態では、底面３００４は、カートン３０００内にパウチを封止するために使用されるテープ３００８を含み得る。一態様では、テープ３００８は、カートン３０００上に引き裂き部分を有することの代替例である。テープ３００８は、パウチにアクセスするために、ユーザーがカートン３０００の引き裂き部分を掴んで引き裂くことを簡単にする。
【０１０３】
カートン３０００は、上面３００２上に保護層３０１０を含む。保護層３０１０は、例えば、接着剤によって、上面３００２に接着され得る。保護層３０１０は長さＬ１５を有する。図示の例では、長さＬ１５は約９．０インチとし得る。長さＬ１５は、他の実施形態では異なり得ることを理解されたい。保護層３０１０は幅Ｗ１０を有する。図示の例では、幅Ｗ１０は約１．０インチとし得る。幅Ｗ１０は、他の実施形態では異なり得ることを理解されたい。保護層３０１０がカートン３０００に接着されると、カートン３０００は高さＨ９を有し得る。
【０１０４】
保護層３０１０は、遠位端部３０１２および近位端部３０１４を有する。いくつかの例では、近位端部３０１４は、平坦な部分３０１６と、平坦な部分３０１６に隣接してテーパが付けられている側辺部３０１８とを有する。側辺部３０１８は、平坦な部分３０１６から角度α４でテーパが付けられ得る。図示の例では、角度α４は約４５度である。角度α４は、他の実施形態では異なり得ることを理解されたい。
【０１０５】
いくつかの実施形態では、カートン３０００は、無線周波数識別（ＲＦＩＤ）チップ３０２０を含む。ＲＦＩＤチップ３０２０は、カートン３０００の内面または外面に取り付けられ得る。例えば、図２０に示すように、ＲＦＩＤチップ３０２０は保護層３０１０に取り付けられ得る。ＲＦＩＤチップ３０２０は、保護層３０１０に沿ってどこへでも取り付けられ得る。一部の実施形態では、ＲＦＩＤチップ３０２０は、カートン３０００の内面に取り付けられ得る。
【０１０６】
他の実施形態では、ＲＦＩＤチップ３０２０は、カートン３０００の表面に埋め込まれ得る。例えば、外面は、ＲＦＩＤチップ３０２０を外面と同一平面にできるようにし得る凹部を含み得る。さらに、ＲＦＩＤチップ３０２０は、外面に埋め込まれて被覆され得る。カバーは、カートン３０００と同じ材料で作製されても、または異なる材料で作製されてもよい。カバーはＲＦＩＤチップ３０２０を保護する。ＲＦＩＤチップ３０２０の考えられる態様および特徴の多くは、開示されるか、または図４に示すＲＦＩＤチップ４０６と同様である。それゆえ、この構造の説明および特徴は、ここでは、ＲＦＩＤチップ３０２０に関し、繰り返さない。
【０１０７】
カートン３０００はまた、角度付き側辺部３０４０を含み得る。角度付き側辺部３０４０は、カートン３０００に、カートン３０００が容器に挿入される間、特定の方向に向けられる必要があるようにする手がかりを与える。
【０１０８】
図２１を参照すると、カートン３０００を製造するための輪郭４００２が示されている。カートン３０００の輪郭４００２は、平らな素材から打ち抜かれ得る。他の実施形態では、カートン３０００の輪郭４００２は、平らな素材から切り取られ得る。カートン３０００の輪郭４００２は、ひとたび輪郭４００２が切り取られたら、平らな素材の表面４００６につけられた折り目４００４を含み得る。一部の例では、線状の接着剤４００８が適用される。平らな素材を折り目４００４に沿って折り畳んだ後で、線状の接着剤４００８は使用され、囲いを形成できる。カートン３０００は、開放領域部分４０１０を含む。カートン３０００の開放領域部分４０１０は、カートン３０００の複数の部分を切り取ることによって、構成され得る。一部の実施形態では、開放領域部分４０１０は、カートン３０００上に引き裂き部分を有することの代替例とし得る。いくつかの実施形態では、改竄証拠穿孔（図示せず）がカートン３０００に設けられ得る。
【０１０９】
上述のカートン２０４および容器２０２の製造方法５００が、上述の容器８０２、９０２およびカートン８０４、９０４に適用可能である。それゆえ、これらの構造の製造方法、および飲料成分を入れているカートンの飲料ディスペンサ１００への挿入方法は、ここでは、繰り返さない。
【０１１０】
本明細書で説明した様々な例が、異なるサイズで形成され得る。パウチのタイプ、パウチのサイズ、パウチの体積およびカートンのサイズは、他の実施形態では異なってもよいことを理解されたい。例えば、特定のカートンのサイズは、数個の要因によって決定づけられ得る。１つの要因は、カートンに貯蔵される飲料成分の量である。この量は、成分の寿命を最適にするために異なり得る。別の要因は、カートンが配置される飲料ディスペンサのサイズおよび形状である。さらに別の要因は、カートンを輸送するために使用される機構である。
【０１１１】
下記は、パウチのタイプ、パウチのサイズ、パウチの体積、およびカートンのサイズの独自の組み合わせを示す表である。これらの値は、上述の要因の１つ以上に依存して、他の実施形態では異なってもよいことが認識される。
【０１１２】
【表１】
0006559649.tif 000002
【０１１３】
これらの寸法は、カートン内の袋のサイズを代えることを可能にする。袋は、カートンのサイズに依存して、例えば、約０．５〜１．０リットルの飲料成分を保持し得る。一部の例では、袋は、０．１４７リットル、０．６５１リットル、０．７リットル、または１．０リットル保持し得る。
【０１１４】
上記の概要および以下の詳細な説明は双方とも、例および説明にすぎず、かつ説明および特許請求される通りに本開示の範囲を限定するとみなされるべきではない。さらに、特徴および／または変形例が、本明細書に説明したものに加えて提供され得る。例えば、実施形態は、本明細書で説明した様々な特徴の組み合わせおよびサブコンビネーションに向けられ得る。
【０１１５】
いくつかの実施形態を説明したが、他の実施形態が存在してもよい。本明細書は例を含むが、本開示の範囲は、以下の特許請求の範囲によって示される。さらに、本明細書は、構造的な特徴および／または方法論的な行為に特有の言語で説明されたが、特許請求の範囲は、上述の特徴または行為に限定されない。むしろ、上述の具体的な特徴および行為は、本開示の実施形態の例として開示されている。
【図１】
0006559649.tif 000003
【図２】
0006559649.tif 000004
【図３】
0006559649.tif 000005
【図４】
0006559649.tif 000006
【図５】
0006559649.tif 000007
【図６】
0006559649.tif 000008
【図７】
0006559649.tif 000009
【図８】
0006559649.tif 000010
【図８Ａ】
0006559649.tif 000011
【図９】
0006559649.tif 000012
【図１０】
0006559649.tif 000013
【図１１】
0006559649.tif 000014
【図１２】
0006559649.tif 000015
【図１３】
0006559649.tif 000016
【図１３Ａ】
0006559649.tif 000017
【図１４】
0006559649.tif 000018
【図１５】
0006559649.tif 000019
【図１６】
0006559649.tif 000020
【図１７】
0006559649.tif 000021
【図１８】
0006559649.tif 000022
【図１９】
0006559649.tif 000023
【図２０】
0006559649.tif 000024
【図２１】
0006559649.tif 000025